(57)【要約】  生体内分析物センサからの分析物データを用いた、個人の健康及び栄養の監視及び管理のための、システム、デバイス、及び方法が提供される。一般に、身体に装着するためのセンサ制御デバイスが提供される。上記センサ制御デバイスは：体液中の分析物レベルを測定するための生体内分析物センサ；被験者の身体活動レベルを測定するための加速度計；及びデータをリーダデバイスに無線で送信するための通信回路構成を含むことができる。更に、本明細書では、リーダデバイス上に分析物メトリクスを表示し、様々な食物及び／又は食事の分析物応答を比較し、分析物メトリクス及び身体活動レベル測定値並びに本明細書に記載の他の特徴に基づいて、毎日の栄養素の推奨値を修正するための、様々なグラフィカルユーザインタフェースの実施形態が開示される。更に、本明細書で開示される実施形態は、様々なタイプの分析物の監視に使用できる。
2020511214.tif 000002
【特許請求の範囲】
【請求項１】
生体内分析物センサから受信した分析物データに少なくとも部分的に基づいて、被験者の健康及び栄養に関する情報を表示するための、システムであって、前記システムは：
体液中の少なくとも１つの分析物レベルを測定するよう構成された、生体内分析物センサ；及び
前記生体内分析物センサから、１つ以上の分析物レベル測定値を示す信号を受信するよう構成された、センサ電子部品
を備え、
前記センサ電子部品は：
１つ以上のセンサ電子部品プロセッサ；
前記１つ以上のセンサ電子部品プロセッサに連結され、前記被験者の身体活動レベルを測定するよう構成された、加速度計；
前記１つ以上のセンサ電子部品プロセッサに連結され、命令を保存した、メモリであって、前記命令は、前記１つ以上のセンサ電子部品プロセッサによって実行されると、前記１つ以上のセンサ電子部品プロセッサに、前記分析物レベル測定値に基づいて、１つ以上の分析物メトリクスを決定させ、ここで前記１つ以上の分析物レベル測定値は、関連する前記１つ以上の分析物メトリクスの決定後に破棄される、メモリ；並びに
前記１つ以上のセンサ電子部品プロセッサに連結され、１つ以上の分析物メトリクス及び前記１つ以上の身体活動レベル測定値のうちの少なくとも１つを、リーダデバイスに無線で送信するよう構成された、通信回路構成
を備える、システム。
【請求項２】
前記１つ以上の分析物メトリクスは、分析物曲線と、前記分析物曲線の下側の面積に関連する数値スコアとを含み、
前記分析物曲線は、摂取した食物又は食事に関連する、請求項１に記載のシステム。
【請求項３】
前記数値スコアは、所定のスケール内の整数であり、
前記整数は、前記分析物曲線の下側の前記面積に比例する、請求項２に記載のシステム。
【請求項４】
前記所定のスケールは、１〜５の範囲であり、
数値スコア「３」は、標準的な初期設定の食物又は食事に応答した初期設定の分析物曲線の下側の初期設定の面積を反映する、請求項３に記載のシステム。
【請求項５】
前記数値スコアは、標準的な初期設定の食物又は食事に応答した初期設定の分析物曲線の下側の初期設定の面積より大きな又は小さなパーセンテージの数値である、請求項２に記載のシステム。
【請求項６】
前記少なくとも１つの分析物レベルは、グルコースレベルを含む、請求項１に記載のシステム。
【請求項７】
リーダデバイスを更に備え、
前記リーダデバイスは：
ディスプレイ
前記１つ以上の分析物メトリクスを示すデータを無線で受信するよう適合された、通信回路構成；
前記ディスプレイに連結された、１つ以上のリーダデバイスプロセッサ；及び
前記１つ以上のリーダデバイスプロセッサに連結され、命令を保存した、メモリであって、前記命令は、前記１つ以上のリーダデバイスプロセッサによって実行されると、前記１つ以上のリーダデバイスプロセッサに、前記１つ以上の分析物メトリクスを前記ディスプレイへと出力させ、ここで前記１つ以上の分析物メトリクスは前記数値スコアを含む、メモリ
を備える、請求項２に記載のシステム。
【請求項８】
前記命令は更に、前記１つ以上のリーダデバイスプロセッサによって実行されると、前記１つ以上のリーダデバイスプロセッサに、所定の期間にわたって受信した前記数値スコアに基づく累積スコアを計算して表示させる、請求項７に記載のシステム。
【請求項９】
前記累積スコアは、前記所定の期間にわたって受信した前記数値スコアの合計である、請求項８に記載のシステム。
【請求項１０】
前記累積スコアは、前記所定の期間にわたって受信した前記数値スコアの平均である、請求項８に記載のシステム。
【請求項１１】
前記命令は更に、前記１つ以上のリーダデバイスプロセッサによって実行されると、前記１つ以上のリーダデバイスプロセッサに、前記累積スコアが前記所定の期間の終了時の所定の目標スコア未満である場合に、前記被験者と親しい１人以上の個人に、ソーシャルメディアプラットフォームを介してメッセージを送信させるか、前記被験者に割引コード若しくはクーポンを提供させるか、又は前記被験者にアプリ内報酬を提供させる、請求項８に記載のシステム。
【請求項１２】
前記１つ以上の分析物メトリクスは、摂取した食物又は食事に関する分析物曲線プロファイルを更に含み、
前記分析物曲線プロファイルは、分析物曲線の下側の面積、分析物曲線の勾配、及び分析物曲線の長さのうちの１つ以上を含む、請求項２に記載のシステム。
【請求項１３】
リーダデバイスを更に備え、
前記リーダデバイスは：
ディスプレイ
前記１つ以上の分析物メトリクスを示すデータを無線で受信するよう適合された、通信回路構成；
前記ディスプレイに連結された、１つ以上のリーダデバイスプロセッサ；及び
前記１つ以上のリーダデバイスプロセッサに連結され、命令を保存した、メモリであって、前記命令は、前記１つ以上のリーダデバイスプロセッサによって実行されると、前記１つ以上のリーダデバイスプロセッサに、摂取した食物又は食事に関する前記分析物曲線プロファイルを、データベース内の食物エントリと関連付けさせて、前記分析物曲線プロファイルを前記データベース内に保存させる、メモリ
を備える、請求項１２に記載のシステム。
【請求項１４】
前記命令は更に、前記１つ以上のリーダデバイスプロセッサによって実行されると、前記１つ以上のリーダデバイスプロセッサに、摂取した食物又は食事に関する前記分析物曲線プロファイルを、標準的な初期設定の食物又は食事に関する初期設定の分析物曲線プロファイルと比較させて、前記比較の結果を表示させる、請求項１３に記載のシステム。
【請求項１５】
前記命令は更に、前記１つ以上のリーダデバイスプロセッサによって実行されると、前記１つ以上のリーダデバイスプロセッサに、摂取した食物又は食事に関する前記分析物曲線プロファイルと、標準的な初期設定の食物又は食事に関する初期設定の分析物曲線プロファイルとの間の、比較グラフを表示させる、請求項１３に記載のシステム。
【請求項１６】
前記リーダデバイスは、入力デバイスを更に備え、
前記食物エントリは、前記入力デバイスを用いて前記被験者が前記データベースに入力した情報を含む、請求項１３に記載のシステム。
【請求項１７】
前記食物エントリは、前記摂取した食物又は食事の写真を含む、請求項１３に記載のシステム。
【請求項１８】
前記データベースは、前記リーダデバイスから離間した、信頼できるコンピュータシステム上に存在する、請求項１３に記載のシステム。
【請求項１９】
リーダデバイスを更に備え、
前記リーダデバイスは：
ディスプレイ
前記１つ以上の分析物メトリクスを示すデータを無線で受信するよう適合された、通信回路構成；
前記ディスプレイに連結された、１つ以上のリーダデバイスプロセッサ；及び
前記１つ以上のリーダデバイスプロセッサに連結され、命令を保存した、メモリであって、前記命令は、前記１つ以上のリーダデバイスプロセッサによって実行されると、前記１つ以上のリーダデバイスプロセッサに、炭水化物グラフを前記ディスプレイ上に表示させる、メモリ
を備え、
前記炭水化物グラフは、所定の時間窓にわたって前記センサ電子部品から受信した前記１つ以上の分析物メトリクスに基づくグラフ表示、時間単位の増分を反映した水平軸、及びラベルが付されていない垂直軸を含む、請求項１に記載のシステム。
【請求項２０】
前記グラフ表示は、前記１つ以上の分析物メトリクスに関連する、複数のプロットされた分析物値を含み；
前記プロットされた分析物値はそれぞれ、高範囲、中範囲、又は低範囲のうちの１つに割り当てられ；
前記高範囲に対応する第１のバンド、前記中範囲に対応する第２のバンド、又は前記低範囲に対応する第３のバンドは、前記グラフ表示上の、前記プロットされた分析物値それぞれから、前記炭水化物グラフの下限まで、下向きに延在する、請求項１９に記載のシステム。
【請求項２１】
前記第１のバンドは赤色であり、前記第２のバンドは黄色であり、前記第３のバンドは緑色である、請求項２０に記載のシステム。
【請求項２２】
前記所定の時間窓は、５〜１５時間である、請求項１９に記載のシステム。
【請求項２３】
前記所定の時間窓は７２時間である、請求項１９に記載のシステム。
【請求項２４】
前記プロットされた分析物値はそれぞれ、分析物レベル測定値を含む、請求項２０に記載のシステム。
【請求項２５】
前記プロットされた分析物値はそれぞれ、分析物レベルの変化率を含む、請求項２０に記載のシステム。
【請求項２６】
前記命令は更に、前記１つ以上のリーダデバイスプロセッサによって実行されると、前記１つ以上のリーダデバイスプロセッサに、前記プロットされた分析物値それぞれを高範囲、中範囲、又は低範囲のうちの１つに割り当てる間に、先行する所定の個数のプロットされた分析物値を考慮させ、
先行する所定の個数のプロットされた分析物値が全て前記高範囲に割り当てられる場合、前記プロットされた分析物値も前記高範囲に割り当てられ、
先行する所定の個数のプロットされた分析物値が全て前記低範囲に割り当てられる場合、前記プロットされた分析物値も前記低範囲に割り当てられる、請求項２０に記載のシステム。
【請求項２７】
前記リーダデバイスは、入力デバイスを更に備え、
前記命令は更に、前記１つ以上のリーダデバイスプロセッサによって実行されると、前記１つ以上のリーダデバイスプロセッサに、複数のユーザ選択レベルのうちの１つを前記被験者が選択できるようにさせ、
前記ユーザ選択レベルは、イージーレベル、ミディアムレベル、及びハードレベルを含み、
前記イージーレベルが選択される場合、前記低範囲は、前記中範囲又は前記高範囲よりも広い値の範囲を含み、
前記ミディアムレベルが選択される場合、前記中範囲は、前記低範囲又は前記高範囲よりも広い値の範囲を含み、
前記ハードレベルが選択される場合、前記高範囲は、前記中範囲又は前記高範囲よりも広い値の範囲を含む、請求項２０に記載のシステム。
【請求項２８】
前記命令は更に、前記１つ以上のセンサ電子部品プロセッサによって実行されると、前記１つ以上のセンサ電子部品プロセッサに、前記分析物曲線プロファイルに少なくとも部分的に基づいて耐糖能を決定させる、請求項１２に記載のシステム。
【請求項２９】
リーダデバイスを更に備え、
前記リーダデバイスは：
ディスプレイ
前記１つ以上の分析物メトリクス及び前記１つ以上の身体活動レベル測定値を示すデータを無線で受信するよう適合された、通信回路構成；
前記ディスプレイに連結された、１つ以上のリーダデバイスプロセッサ；並びに
前記１つ以上のリーダデバイスプロセッサに連結され、命令を保存した、メモリであって、前記命令は、前記１つ以上のリーダデバイスプロセッサによって実行されると、前記１つ以上のリーダデバイスプロセッサに、前記１つ以上の分析物メトリクス及び前記１つ以上の身体活動レベル測定値に基づいて、毎日の栄養素の推奨値を調整するかどうかを決定させる、メモリ
を備える、請求項１に記載のシステム。
【請求項３０】
前記毎日の栄養素の推奨値は、推定１日カロリー摂取量推奨値を含む、請求項２９に記載のシステム。
【請求項３１】
前記毎日の栄養素の推奨値は、１日炭水化物摂取量推奨値、１日繊維摂取量推奨値、１日タンパク質摂取量推奨値、１日脂質摂取量推奨値、１日水分摂取量推奨値、１日ビタミン摂取量推奨値、及び１日ミネラル摂取量推奨値のうちの少なくとも１つを含む、請求項２９に記載のシステム。
【請求項３２】
前記毎日の栄養素の推奨値は、前記被験者の年齢、前記被験者の身長、前記被験者の体重、及び前記被験者の肥満度指数に少なくとも部分的に基づく、請求項２９に記載のシステム。
【請求項３３】
前記通信回路構成は更に、１つ以上の心拍数測定値を示すデータを受信するよう適合され、
前記毎日の栄養素の推奨値を調整するかどうかの前記決定は更に、前記１つ以上の心拍数測定値に基づく、請求項２９に記載のシステム。
【請求項３４】
前記通信回路構成は更に、１つ以上の水分摂取レベル測定値を示すデータを受信するよう適合され、
前記毎日の栄養素の推奨値を調整するかどうかの前記決定は更に、前記１つ以上の水分摂取レベル測定値に基づく、請求項２９に記載のシステム。
【請求項３５】
前記少なくとも１つの分析物レベルは、ケトンレベルを含む、請求項１に記載のシステム。
【請求項３６】
前記少なくとも１つの分析物レベルは、ケトンレベルを含む、請求項２９に記載のシステム。
【請求項３７】
前記命令は更に、前記１つ以上のリーダデバイスプロセッサによって実行されると、前記１つ以上のリーダデバイスプロセッサに、ケトーシス目標閾値が満たされていない１つ以上の時刻を決定して表示させ、また前記ケトーシス目標閾値を達成するための１つ以上の推奨値を表示させる、請求項３６に記載のシステム。
【請求項３８】
前記少なくとも１つの分析物レベルは、ケトンレベル及びグルコースレベルを含み、
前記命令は更に、前記１つ以上のリーダデバイスプロセッサによって実行されると、前記１つ以上のリーダデバイスプロセッサに、ダイエットの修正のための推奨値を表示させる、請求項３１に記載のシステム。
【請求項３９】
被験者の健康及び栄養を監視及び管理するための方法であって、
前記方法は：
生体内分析物センサによって、体液中の少なくとも１つの分析物レベルを測定するステップ；
センサ電子部品によって、１つ以上の分析物レベル測定値を示す信号を受信するステップであって、前記センサ電子部品は、１つ以上のセンサ電子部品プロセッサ、メモリ、加速度計、及び通信回路構成を含む、ステップ；
前記加速度計によって、前記被験者の身体活動レベルを測定するステップ；
前記１つ以上のセンサ電子部品プロセッサによって、前記分析物レベル測定値に基づいて１つ以上の分析物メトリクスを決定するステップ；
前記１つ以上の分析物メトリクスの決定後に、前記１つ以上の分析物レベル測定値を破棄するステップ；並びに
前記１つ以上の分析物メトリクス及び前記１つ以上の身体活動レベル測定値のうちの少なくとも１つを、リーダデバイスに無線で送信するステップ
を含む、方法。
【請求項４０】
前記１つ以上の分析物メトリクスは、分析物曲線と、前記分析物曲線の下側の面積に関連する数値スコアとを含み、
前記分析物曲線は、摂取した食物又は食事に関連する、請求項３９に記載の方法。
【請求項４１】
前記数値スコアは、所定のスケール内の整数であり、
前記整数は、前記分析物曲線の下側の前記面積に比例する、請求項４０に記載の方法。
【請求項４２】
前記所定のスケールは、１〜５の範囲であり、
数値スコア「３」は、標準的な初期設定の食物又は食事に応答した初期設定の分析物曲線の下側の初期設定の面積を反映する、請求項４１に記載の方法。
【請求項４３】
前記数値スコアは、標準的な初期設定の食物又は食事に応答した初期設定の分析物曲線の下側の初期設定の面積より大きな又は小さなパーセンテージの数値である、請求項４０に記載の方法。
【請求項４４】
前記少なくとも１つの分析物レベルは、グルコースレベルを含む、請求項３９に記載の方法。
【請求項４５】
リーダデバイスの通信回路構成によって、前記１つ以上の分析物メトリクスを示すデータを無線で受信するステップであって、前記リーダデバイスは、ディスプレイ、１つ以上のリーダデバイスプロセッサ、及びメモリを備える、ステップ；並びに
前記１つ以上の分析物メトリクスを前記ディスプレイに出力するステップであって、前記１つ以上の分析物メトリクスは、前記数値スコアを含む、ステップ
を更に含む、請求項４０に記載の方法。
【請求項４６】
所定の期間にわたって受信した前記数値スコアに基づく累積スコアを計算して表示するステップを更に含む、請求項４５に記載の方法。
【請求項４７】
前記累積スコアは、前記所定の期間にわたって受信した前記数値スコアの合計である、請求項４６に記載の方法。
【請求項４８】
前記累積スコアは、前記所定の期間にわたって受信した前記数値スコアの平均である、請求項４６に記載の方法。
【請求項４９】
前記累積スコアが前記所定の期間の終了時の所定の目標スコア未満である場合に、前記被験者と親しい１人以上の個人に、ソーシャルメディアプラットフォームを介してメッセージを送信するか、前記被験者に割引コード若しくはクーポンを提供するか、又は前記被験者にアプリ内報酬を提供するステップを更に含む、請求項４６に記載の方法。
【請求項５０】
前記１つ以上の分析物メトリクスは、摂取した食物又は食事に関する分析物曲線プロファイルを更に含み、
前記分析物曲線プロファイルは、分析物曲線の下側の面積、分析物曲線の勾配、及び分析物曲線の長さのうちの１つ以上を含む、請求項４０に記載の方法。
【請求項５１】
リーダデバイスの通信回路構成によって、前記１つ以上の分析物メトリクスを示すデータを無線で受信するステップであって、前記リーダデバイスは、ディスプレイ、１つ以上のリーダデバイスプロセッサ、及びメモリを備える、ステップ；
摂取した食物又は食事に関する前記分析物曲線プロファイルを、データベース内の食物エントリに関連付けるステップ；並びに
前記分析物曲線プロファイルを前記データベース内に保存するステップ
を更に含む、請求項５０に記載の方法。
【請求項５２】
摂取した食物又は食事に関する前記分析物曲線プロファイルを、標準的な初期設定の食物又は食事に関する初期設定の分析物曲線プロファイルと比較するステップ；及び
前記比較の結果を表示するステップ
を更に含む、請求項５１に記載の方法。
【請求項５３】
摂取した食物又は食事に関する前記分析物曲線プロファイルと、標準的な初期設定の食物又は食事に関する初期設定の分析物曲線プロファイルとの間の、比較グラフを表示するステップを更に含む、請求項５１に記載の方法。
【請求項５４】
前記データベース内に前記食物エントリを生成するステップ；及び
前記リーダデバイスの入力デバイスを用いて、前記食物エントリに関連する情報を、前記データベースに入力するステップ
を更に含む、請求項５１に記載の方法。
【請求項５５】
前記食物エントリは、前記摂取した食物又は食事の写真を含む、請求項５１に記載の方法。
【請求項５６】
前記データベースは、前記リーダデバイスから離間した、信頼できるコンピュータシステム上に存在する、請求項５１に記載の方法。
【請求項５７】
リーダデバイスの通信回路構成によって、前記１つ以上の分析物メトリクスを示すデータを無線で受信するステップであって、前記リーダデバイスは、ディスプレイ、１つ以上のリーダデバイスプロセッサ、及びメモリを備える、ステップ；並びに
炭水化物グラフを前記ディスプレイ上に表示するステップであって、前記炭水化物グラフは、所定の時間窓にわたって前記センサ電子部品から受信した前記１つ以上の分析物メトリクスに基づくグラフ表示、時間単位の増分を反映した水平軸、及びラベルが付されていない垂直軸を含む、ステップ
を更に含む、請求項３９に記載の方法。
【請求項５８】
前記グラフ表示は、前記１つ以上の分析物メトリクスに関連する、複数のプロットされた分析物値を含み、
前記方法は：
前記プロットされた分析物値それぞれを、高範囲、中範囲、又は低範囲のうちの１つに割り当てるステップ；
前記プロットされた分析物値それぞれに関して、前記高範囲に対応する第１のバンド、前記中範囲に対応する第２のバンド、又は前記低範囲に対応する第３のバンドを表示するステップであって、前記第１のバンド、前記第２のバンド及び前記第３のバンドは、前記グラフ表示上の、前記プロットされた分析物値から、前記炭水化物グラフの下限まで、下向きに延在する、ステップ
を更に含む、請求項５７に記載の方法。
【請求項５９】
前記第１のバンドは赤色であり、前記第２のバンドは黄色であり、前記第３のバンドは緑色である、請求項５８に記載の方法。
【請求項６０】
前記所定の時間窓は、５〜１５時間である、請求項５７に記載の方法。
【請求項６１】
前記所定の時間窓は７２時間である、請求項５７に記載の方法。
【請求項６２】
前記プロットされた分析物値はそれぞれ、分析物レベル測定値を含む、請求項５８に記載の方法。
【請求項６３】
前記プロットされた分析物値はそれぞれ、分析物レベルの変化率を含む、請求項５８に記載の方法。
【請求項６４】
前記プロットされた分析物値それぞれを高範囲、中範囲、又は低範囲のうちの１つに割り当てる前記ステップは、先行する所定の個数のプロットされた分析物値を考慮するステップを更に含み、
先行する所定の個数のプロットされた分析物値が全て前記高範囲に割り当てられる場合、前記プロットされた分析物値も前記高範囲に割り当てられ、
先行する所定の個数のプロットされた分析物値が全て前記低範囲に割り当てられる場合、前記プロットされた分析物値も前記低範囲に割り当てられる、請求項５８に記載の方法。
【請求項６５】
複数のユーザ選択レベルのうちの１つを選択するステップを更に含み、
前記ユーザ選択レベルは、イージーレベル、ミディアムレベル、及びハードレベルを含み、
前記イージーレベルが選択される場合、前記低範囲は、前記中範囲又は前記高範囲よりも広い値の範囲を含み、
前記ミディアムレベルが選択される場合、前記中範囲は、前記低範囲又は前記高範囲よりも広い値の範囲を含み、
前記ハードレベルが選択される場合、前記高範囲は、前記中範囲又は前記高範囲よりも広い値の範囲を含む、請求項５８に記載の方法。
【請求項６６】
前記分析物曲線プロファイルに少なくとも部分的に基づいて耐糖能を決定するステップを更に含む、請求項５０に記載の方法。
【請求項６７】
リーダデバイスの通信回路構成によって、前記１つ以上の分析物メトリクス及び前記１つ以上の身体活動レベル測定値を示すデータを無線で受信するステップであって、前記リーダデバイスは、ディスプレイ、１つ以上のリーダデバイスプロセッサ、及びメモリを備える、ステップ；並びに
前記１つ以上の分析物メトリクス及び前記１つ以上の身体活動レベル測定値に基づいて、毎日の栄養素の推奨値を調整するかどうかを決定するステップ
を更に含む、請求項３９に記載の方法。
【請求項６８】
前記毎日の栄養素の推奨値は、推定１日カロリー摂取量推奨値を含む、請求項６７に記載の方法。
【請求項６９】
前記毎日の栄養素の推奨値は、１日炭水化物摂取量推奨値、１日繊維摂取量推奨値、１日タンパク質摂取量推奨値、１日脂質摂取量推奨値、１日水分摂取量推奨値、１日ビタミン摂取量推奨値、及び１日ミネラル摂取量推奨値のうちの少なくとも１つを含む、請求項６７に記載の方法。
【請求項７０】
前記毎日の栄養素の推奨値は、前記被験者の年齢、前記被験者の身長、前記被験者の体重、及び前記被験者の肥満度指数に少なくとも部分的に基づく、請求項６７に記載の方法。
【請求項７１】
１つ以上の心拍数測定値を示すデータを、前記リーダデバイスの通信回路構成によって受信するステップを更に含み、
前記毎日の栄養素の推奨値を調整するかどうかの前記決定は更に、前記１つ以上の心拍数測定値に基づく、請求項６７に記載の方法。
【請求項７２】
１つ以上の水分摂取レベル測定値を示すデータを、前記リーダデバイスの前記通信回路構成によって受信するステップを更に含み、
前記毎日の栄養素の推奨値を調整するかどうかの前記決定は更に、前記１つ以上の水分摂取レベル測定値に基づく、請求項６７に記載の方法。
【請求項７３】
前記少なくとも１つの分析物レベルは、ケトンレベルを含む、請求項３９に記載の方法。
【請求項７４】
前記少なくとも１つの分析物レベルは、ケトンレベルを含む、請求項６７に記載の方法。
【請求項７５】
ケトーシス目標閾値が満たされていない１つ以上の時刻を決定して表示するステップ；及び
前記ケトーシス目標閾値を達成するための１つ以上の推奨値を表示するステップ
を更に含む、請求項７４に記載の方法。
【請求項７６】
ダイエットの修正のための推奨値を表示するステップを更に含む、請求項６９に記載の方法。
【発明の詳細な説明】
【技術分野】
【０００１】
本明細書に記載される主題は、一般に、生体内分析物センサからの分析物データに少なくとも部分的に基づいて、個人の健康及び栄養を監視及び管理するための、システム、デバイス、及び方法に関する。
【背景技術】
【０００２】
個人の健康及び栄養の監視及び管理は、慢性的な健康問題のリスクがあるか又は慢性的な健康問題を現在抱えている人々、及び全身の健康を改善しようとする人々に、大きな便益をもたらすことができる。これらの努力は、個人にとって、及び広くは公衆にとって、複数の健康上の及び経済的な便益を生み出すことができる。例えばＣＤＣによると、米国では毎年１０人に７人が慢性疾患で死亡し、成人の２人に約１人が少なくとも１つの慢性疾患を患っている。同様に、米国では小児の３人に約１人が過剰体重又は肥満であり、慢性疾患に罹りやすくなっている。これらの慢性疾患の多くは予防可能であり、又は早期に診断されれば良好に治療できる。これに関して、個人の健康及び栄養の監視及び管理により、慢性疾患の確率を大幅に低減でき、その結果として将来の医療費を軽減できる。健康及び栄養の監視の更なる便益としては、トレーニング中、回復中、又は運動イベント中の、運動能力の向上が挙げられる。
【０００３】
これらの目標を促進するために、ウェアラブル技術（例えばＦｉｔｂｉｔ）を利用できる。例えば、個人の心拍数又は身体活動レベルを監視するために、小型電子デバイスを手首の周り等の身体に装着してよい。医師の訪問が稀になる（例えば年１回になる）ため、ウェアラブル技術は、医師の訪問を必要とすることなく、生理学的情報を個人に適時提供するという有用な機能を果たすことができ、これは最終的には健康の改善につながり得る。しかしながら、これらの利点にもかかわらず、多くの人々は、提示されるデータの複雑さ、ウェアラブルデバイスの使用に関連する学習曲線、データに関する不正確さ等を含む様々な理由から、ウェアラブル技術の使用に消極的である。最近のいくつかの研究は、既存のウェアラブルデバイスが個人の心拍数又は燃焼カロリー数を正確に測定しないと主張している。
【発明の概要】
【発明が解決しようとする課題】
【０００４】
よって、より正確で、個人が簡単に使用できる、健康及び栄養の監視及び管理のためのシステム、デバイス、及び方法に対する需要が存在する。
【課題を解決するための手段】
【０００５】
本明細書において提供されるのは、生体内分析物センサから受信した分析物データに少なくとも部分的に基づいて、個人の健康及び栄養を監視及び管理するための、システム、デバイス、及び方法の例示的実施形態である。一般に、フォームファクタが小さなセンサ制御デバイスを、身体に装着するために個人に提供できる。上記センサ制御デバイスは、単一のハウジング内に：被験者の分析物レベル（又は複数の分析物レベル）を測定するための生体内分析物センサ；及び上記被験者の活動レベルを測定するための加速度計を含むことができる。上記生体内分析物センサは、上記センサの少なくとも一部分が上記被験者の体液に接触するよう構成できる。上記センサ制御デバイスはまた、データをリーダデバイスに無線送信するための通信回路構成も含むことができる。上記センサ制御デバイスは、消費者グレード製品として設計できる。これらの実施形態では、プライバシー、セキュリティ及び規制上の理由から、生の分析物レベル測定値を上記センサ制御デバイスのメモリには保管せず、これらのデータは暗号化されるか、又は上記個人にとってアクセス可能なものとされる。
【０００６】
上記センサ制御デバイスからデータを受信する上記リーダデバイスは、スマートフォン、タブレットコンピュータ、パーソナルデジタルアシスタント、又は専用若しくは非専用移動体計算プラットフォームとすることができる。１つ以上のアプリケーションをリーダデバイスにインストールでき、これは、上記センサ制御デバイスから送信されたデータを分析して、健康及び栄養に関する情報を上記個人に対して表示する。いくつかの実施形態では、例えば、簡単な炭水化物グラフを、元になる分析物データの値を示すことなく表示する。その代わりに、異なる色の複数のバーが、様々な分析物レベルを示すことができる。他の実施形態では、摂取した食物又は食事に対する分析物の応答を表す数値スコアを表示する。更に他の実施形態では、身体活動レベルデータに基づく毎日の栄養素の推奨値を、上記個人に対して表示できる。これらの実施形態及び本明細書に記載の他の実施形態は、従来の又は既存のウェアラブルデバイスを上回る、コンピュータベースの健康及び栄養の監視の分野における改善である。他の改善及び利点も提供され、これらは当業者には明らかであろう。これらのデバイスの様々な構成を、単なる例に過ぎない複数の実施形態によって説明する。
【０００７】
本明細書に記載の主題の他のシステム、デバイス、方法、特徴及び利点は、以下の図面及び「発明を実施するための形態」を精査すれば、当業者には明らかであるか、又は明らかになる。このような追加のシステム、デバイス、方法、特徴及び利点は、本記載に含まれ、本明細書に記載の主題の範囲内であり、添付の請求項によって保護されることが意図されている。例示的実施形態の特徴は、請求項中にこれらの特徴が明示的に列挙されていない場合、添付の請求項を限定するものとして解釈してはならない。
【０００８】
本明細書に記載の主題の、構造及び動作に関する詳細は、添付の図面を検討することによって明らかになる場合があり、これらの図面中では、類似の参照番号は類似の部分を指す。図面中の構成部品は縮尺が必ずしも正確ではなく、主題の原理を説明する際に強調が施される。更に、全ての図は、概念を伝達することを意図したものであり、ここでは、相対的なサイズ、形状、及び他の詳細な属性は、誇張されずに又は正確にではなく、概略的に図示される場合がある。
【図面の簡単な説明】
【０００９】
【図１】センサ制御デバイス、リーダデバイス、ネットワーク、ローカルコンピュータシステム、及び信頼できるコンピュータシステムのシステム概要
【図２】リーダデバイスのある例示的実施形態を示すブロック図
【図３Ａ】センサ制御デバイスの例示的実施形態のブロック図
【図３Ｂ】センサ制御デバイスの例示的実施形態のブロック図
【図４】経時的な複数の分析物曲線を示す例示的なグラフ
【図５】経時的な複数の分析物曲線を示す別の例示的なグラフ
【図６】分析物メトリクスをリーダデバイス上に表示するためのグラフィカルユーザインタフェースのある例示的実施形態
【図７】食物の影響を分析するためのグラフィカルユーザインタフェースのある例示的実施形態
【図８】個人の耐糖能を表示するためのグラフィカルユーザインタフェースのある例示的実施形態
【図９】被験者の炭水化物摂取を監視するためのグラフを示すグラフィカルユーザインタフェースの別の例示的実施形態
【発明を実施するための形態】
【００１０】
本主題を詳細に説明する前に、本開示が本明細書に記載の特定の実施形態に限定されず、従って当然変化し得ることを理解されたい。また、本明細書中で使用される用語は、特定の実施形態を説明することのみを目的としており、限定を意図したものではないことも理解されたい。なぜなら、本開示の範囲は添付の請求項のみによって限定されるためである。
【００１１】
本明細書及び添付の請求項中で使用される場合、単数形「ある（ａ、ａｎ）」及び「上記／前記（ｔｈｅ）」は、文脈によってそうでないことが明確に規定されていない限り、複数の指示対象を含む。
【００１２】
本明細書中で議論される刊行物は、本出願の出願日以前のこれらの開示に関してのみ提供されている。本明細書中のいかなる部分も、これらの刊行物が以前に開示されているという理由で、本開示がこれらの刊行物に対して先行する権利を有しないことの承認として解釈してはならない。更に、ここで提供される刊行物の日付は、実際の刊行日とは異なる場合があり、個別に確認する必要があり得る。
【００１３】
一般に、本開示の実施形態は、生体内分析物センサからの分析物データに少なくとも部分的に基づいて、個人の健康及び栄養を監視及び管理するための、システム、デバイス、及び方法を含む。従って、多数の実施形態は生体内分析物センサを含み、これは、上記センサの少なくとも一部分がユーザの身体に位置決めされる又は位置決めできるように構成され、これにより、体液中の（例えば皮下の間質液（「ＩＳＦ」）若しくは血液中の、真皮層の真皮液中の、又はその他の）上記身体の少なくとも１つの分析物、例えばグルコースに関する情報を取得する。いくつかの実施形態では例えば、上記センサは、グルコースレベルを測定するよう構成される。他の実施形態では、上記センサは、グルコースレベルの測定の代わりに、又はこれに加えて、ケトンレベルを測定するよう構成できる。更に、他の分析物の検出も本開示の範囲内であり、他の分析物としては、例えば乳酸、酸素、ヘモグロビンＡ１Ｃ、アセチルコリン、アミラーゼ、ビリルビン、コレステロール、絨毛性ゴナドトロピン、クレアチンキナーゼ（例えばＣＫ‐ＭＢ）、クレアチン、ＤＮＡ、フルクトサミン、グルタミン、成長ホルモン、ホルモン、ペルオキシド、前立腺特異抗原、プロトロンビン、ＲＮＡ、甲状腺刺激ホルモン、トロポニン等が挙げられる。本明細書で開示される実施形態は、試験管内における機能性を組み込んだ生体内分析物監視システム、及び純粋に試験管内又は生体外の分析物監視システム（完全に非侵襲性のシステムを含む）と併用することもできる。
【００１４】
更に、本明細書で開示される方法の各実施形態全てに関して、これらの実施形態それぞれを実施できるシステム及びデバイスが、本開示の範囲に包含される。例えば、センサ制御デバイスの実施形態が開示され、これらのデバイスは、１つ以上のセンサ、加速度計、分析物監視回路（例えばアナログ回路）、（例えば命令及びデータを保存するための）非一時的メモリ、電源、通信回路、トランスミッタ、レシーバ、プロセッサ、並びに／又はいずれのあらゆる方法ステップを実施できる、若しくはいずれのあらゆる方法ステップの実行を促進できる、（例えばメモリに保存された命令を実行するための）コントローラを有することができる。
【００１５】
本開示の多数の実施形態は、生体内分析物センサから受信した分析物データを用いて、ウェアラブル技術に関する精度及び使用しやすさを改善するよう、設計される。いくつかの実施形態では、例えば、センサ制御デバイスが身体に装着され、上記センサ制御デバイスは、生体内分析物センサ及び加速度計を含む。分析物メトリクスは、上記センサ制御デバイスの１つ以上のプロセッサによって決定され、身体活動レベル測定値と共にリーダデバイスに送信される。上記センサ制御デバイス上の分析物レベル測定値は、後で破棄できる。換言すれば、上記センサ制御デバイスは、分析物レベル測定値を送信しないよう、特に構成できる。上記リーダデバイスでは、様々な情報がディスプレイ上に提示される。いくつかの実施形態では、例えば、簡単な炭水化物グラフをユーザに表示でき、ここでは、複数の色付きのバーが異なる複数の範囲の分析物レベルを示す。他の実施形態では、数値スコアをユーザに提示でき、ここでは上記スコアは、摂取した食物又は食事に対する分析物応答を反映している。更に他の実施形態では、分析物メトリクスを身体活動レベル測定値と共に分析して、毎日の栄養素の推奨値を調整する必要があるかどうかを決定できる。従って、これらの実施形態は、生体内分析物センサから受信した分析物データに基づいて、被験者に、健康及び／又は栄養に関する、正確で、カスタマイズ可能な、使用が容易な、そして理解が容易な情報を提供できる。本開示の実施形態は、実際の分析物レベル測定値が利用される点、及びいくつかの実施形態では加速度計からの物理的な分析物レベル測定値によって裏付けられる点において、従来のシステムの精度を改善できる。更に本開示の実施形態は、簡単で使用しやすいインタフェースを提示することによって、健康及び栄養の監視レジメンに対するユーザの追従を改善できる。本開示の実施形態の他の特徴及び利点について、以下で更に議論する。
【００１６】
しかしながら、実施形態のこれらの態様を詳細に説明する前に、内部に存在し得るデバイスの例、例えば生体内分析物センサからデータを送信するセンサ制御デバイスについて、及び上記デバイスの動作の例について、最初に説明することが望ましく、これらの例は全て、本明細書に記載の実施形態と共に使用できる。
【００１７】
生体内分析物センサを利用する様々なタイプのシステムが存在する。例えば、「連続分析物監視（Ｃｏｎｔｉｎｕｏｕｓ  Ａｎａｌｙｔｅ  Ｍｏｎｉｔｏｒｉｎｇ）」システム（例えば、「連続グルコース監視（Ｃｏｎｔｉｎｕｏｕｓ  Ｇｌｕｃｏｓｅ  Ｍｏｎｉｔｏｒｉｎｇ）」システム）は、例えばスケジュールに従って自動的に、プロンプトの有無に関わらず、連続的に又は繰り返し、データをセンサ制御デバイスからリーダデバイスに送信できる。別の例として、「フラッシュ分析物監視（Ｆｌａｓｈ  Ａｎａｌｙｔｅ  Ｍｏｎｉｔｏｒｉｎｇ）」システム（例えば、「フラッシュグルコース監視（Ｆｌａｓｈ  Ｇｌｕｃｏｓｅ  Ｍｏｎｉｔｏｒｉｎｇ）」システム又は単に「フラッシュ（Ｆｌａｓｈ）」システム）は、例えばニアフィールド通信（Ｎｅａｒ  Ｆｉｅｌｄ  Ｃｏｍｍｕｎｉｃａｔｉｏｎ：ＮＦＣ）又は無線周波数識別（Ｒａｄｉｏ  Ｆｒｅｑｕｅｎｃｙ  Ｉｄｅｎｔｉｆｉｃａｔｉｏｎ：ＲＦＩＤ）プロトコル等を用いて、リーダデバイス（例えばスキャン）によってユーザが開始したデータに対するリクエストに応答して、データをセンサ制御デバイスから送信できる。生体内分析物監視システムは、フィンガー・スティック較正（ｆｉｎｇｅｒ  ｓｔｉｃｋ  ｃａｌｉｂｒａｔｉｏｎ）の必要なしに動作することもできる。
【００１８】
生体内分析物監視システムは、「試験管内（ｉｎ  ｖｉｔｒｏ）」システムと区別でき、これは、身体の外部の（又は「生体外（ｅｘ  ｖｉｖｏ）」）生体試料に接触し、また典型的には、ユーザの体液を担持した分析物試験ストリップを受承するためのポートを有する測定デバイスを含み、上記体液を分析することによってユーザの血糖値を決定できる。
【００１９】
生体内監視システムはセンサを含むことができ、上記センサは、生体内に位置決めされている間、ユーザの体液に接触し、体液中に含有された分析物レベルを感知する。上記センサは、ユーザの身体上に存在し、分析物の感知を実現及び制御する電子部品及び電源を内包する、上記センサ制御デバイスの一部とすることができる。センサ制御デバイス及びそのバリエーションは、いくつかの例を挙げると、「センサ制御ユニット」、「身体上電子部品」デバイス若しくはユニット、又は「センサデータ通信」デバイス若しくはユニットと呼ばれる場合もある。
【００２０】
生体内監視システムはリーダデバイスも含むことができ、上記リーダデバイスは、上記センサ制御デバイスから、感知された分析物データを受信し、この感知された分析物データを、処理し、及び／又は多数の形式のうちのいずれかでユーザに表示する。このデバイス及びそのバリエーションは、いくつかの例を挙げると、「ハンドヘルドデバイス」、「リーダデバイス」（若しくは単に「リーダ」）、「ハンドヘルド電子部品」（又は単に「ハンドヘルド」）、「携帯型データ処理」デバイス若しくはユニット、「データレシーバ」、「レシーバ」デバイス若しくはユニット（若しくは単に「レシーバ」）、又は「リモート」デバイス若しくはユニットと呼ばれる場合もある。パーソナルコンピュータ、スマートフォン及び同様のデバイスといった他のデバイスも、生体内及び試験管内監視システムと共に利用されている、又はこれらに組み込まれている。
【００２１】
個人の健康及び栄養の監視システムの例示的実施形態
図１は、センサ制御デバイス１０２及びリーダデバイス１２０を含む健康及び栄養監視システム１００のある例示的実施形態を示す概念図である。システム１００はセンサアプリケータ１５０も含むことができ、これは、センサ１０４が接着パッチ１０５によってユーザの身体の所定の位置にある期間にわたって維持されるように、センサ制御デバイス１０２をユーザの皮膚上の監視位置に適用するために使用できる。センサ制御デバイス１０２は、図３Ａ及び３Ｂに関連して更に説明され、これは、有線又は無線技法を用いた通信経路１４０を介してリーダデバイス１２０と通信できる。例示的な無線プロトコルとしては、Ｂｌｕｅｔｏｏｔｈ、Ｂｌｕｅｔｏｏｔｈ  Ｌｏｗ  Ｅｎｅｒｇｙ（ＢＬＥ、ＢＴＬＥ、Ｂｌｕｅｔｏｏｔｈ  ＳＭＡＲＴ等）、ニアフィールド通信（ＮＦＣ）、Ｗｉ‐Ｆｉ等が挙げられる。
【００２２】
個人は、リーダデバイス１２０上のメモリにインストールされた１つ以上の健康及び栄養アプリケーションを、スクリーン１２２及び入力１２１を用いて監視及び使用でき、リーダデバイスのバッテリを、電源ポート１２３を用いて再充電できる。リーダデバイス１２０に関する更なる詳細は、図２に関連して以下に記載される。リーダデバイス１２０は、有線又は無線技法を用いた通信経路１４１を介して、ローカルコンピュータシステム１７０と通信できる。ローカルコンピュータシステム１７０としては、ラップトップ、デスクトップ、タブレット、ファブレット、スマートフォン、セットトップボックス、ビデオゲームコンソール、又は他の計算デバイスが挙げられ無線通信としては、Ｂｌｕｅｔｏｏｔｈ、Ｂｌｕｅｔｏｏｔｈ  Ｌｏｗ  Ｅｎｅｒｇｙ  （ＢＴＬＥ）、Ｗｉ‐Ｆｉ等を含む多数の適用可能な無線ネットワーキングプロトコルのうちのいずれかが挙げられる。ローカルコンピュータシステム１７０は、上述のようにリーダデバイス１２０が有線又は無線技法によって通信経路１４２を介してネットワーク１９０と通信できる方法と同様に、通信経路１４３を介してネットワーク１９０と通信できる。ネットワーク１９０は、プライベートネットワーク及び公共ネットワーク、ローカルエリアネットワーク又は広域ネットワーク等といった多数のネットワークのいずれとすることができる。ネットワーク１９０はクラウドとすることができる。信頼できるコンピュータシステム１８０は、サーバを含むことができ、認証サービス及び／又は保護されたデータストレージを提供でき、また有線又は無線技法を用いた通信経路１４４を介してネットワーク１９０と通信できる。信頼できるコンピュータシステム１８０は、デバイス１０２、１２０、及び１７０から見た場合、ネットワーク１９０（又はクラウド）の一部とみなすことができる。
【００２３】
リーダデバイスの例示的実施形態
図２は、スマートフォンとして構成されたリーダデバイス１２０のある例示的実施形態を示すブロック図である。ここでは、リーダデバイス１２０は：ディスプレイ１２２；入力用構成部品１２１；及び非一時的メモリ２２３に連結された通信プロセッサ２２２と、非一時的メモリ２２５に連結されたアプリケーションプロセッサ２２４とを含む処理回路構成２０６を含むことができる。また：非一時的メモリ２３０；アンテナ２２９を備えたＲＦトランシーバ２２８；及び電力管理モジュール２３８を備えた電源２２６を含むことができる。更に、多機能トランシーバ２３２を含むことができ、これは、Ｗｉ‐Ｆｉ、ＮＦＣ、Ｂｌｕｅｔｏｏｔｈ、ＢＴＬＥ、ＡＮＴ＋、及びＧＰＳネットワークを介して、アンテナ２３４と通信できる。当業者であれば理解できるように、これらの構成部品は、１つの機能性デバイスを形成するように、電気的に、かつ通信可能に連結される。
【００２４】
更に、本明細書ではスマートフォンとして説明されているものの、リーダデバイス１２０は、ユーザの眼の上から又は眼に隣接して装着される光学組立体（例えば、移動体通信デバイスであるＧｏｏｇｌｅグラス等の片眼用又は両眼用スマートグラス）といった、移動体スマートウェアラブル電子部品組立体とすることもできる。この光学組立体は、透明ディスプレイを有することができ、これは、ユーザの全体的な視覚を最小限しか阻害しないよう、ユーザによる上記ディスプレイを通した視認を可能としながら、同時に、（上述のような）ユーザの分析物レベルに関する情報をユーザに対して表示する。上記光学組立体は、スマートフォンと同様の無線通信か可能であってよい。ウェアラブル電子部品の他の例としては、ユーザの手首（例えば時計等）、首（例えばネックレス等）、頭部（例えばヘッドバンド、ハット等）、胸部等の周囲又は付近に装着されるデバイスが挙げられる。同様に、リーダデバイス１２０は、タブレットコンピュータ、パーソナルデジタルアシスタント、ラップトップ、又は他のいずれの移動体計算デバイス若しくは個人用計算デバイスとすることもできる。リーダデバイス１２０は、パワー、ケイデンス、ペース、心拍数、速度を測定及び／又は表示するよう構成されたデバイス等の、活動又はスポーツのパフォーマンスを監視するために使用されるデバイスに対する、拡張及び／又はアドオンとすることもできる。このようなデバイスを、分析物メトリクスの表示に適合させることができることは、完全に、本明細書に記載の実施形態の範囲内である。
【００２５】
センサ制御デバイスの例示的実施形態
図３Ａ及び３Ｂは、センサ制御デバイス１０２の例示的実施形態を示すブロック図であり、センサ制御デバイス１０２はそれぞれ、分析物センサ１０４、加速度計１７５、及び（分析物監視回路構成を含む）センサ電子部品１６０を含み、これらは合わせて、ユーザへの表示に好適な分析物メトリクス等の最終結果データをレンダリングするための処理能力の大半を有することができる。図３Ａでは、単一の半導体チップ１６１が図示されており、これは専用の特定用途向け集積回路（ＡＳＩＣ）とすることができる。ＡＳＩＣ１６１内に示されているのは、アナログフロントエンド（ＡＦＥ）１６２）、電力管理（又は制御）回路構成１６４、プロセッサ１６６、及び（通信プロトコルに応じて、トランスミッタ、レシーバ、トランシーバ、パッシブ回路、又はその他として実装できる）通信回路構成１６８を含む、特定の高次機能ユニットである。この実施形態では、ＡＦＥ１６２及びプロセッサ１６６の両方を、生体内分析物監視及び加速度計監視回路構成として使用するが、他の実施形態では、いずれかの回路が監視機能を実施できる。プロセッサ１６６としては、１つ以上のプロセッサ、マイクロプロセッサ、コントローラ、及び／又はマイクロコントローラが挙げられ、これらはそれぞれ、ディスクリート構成のチップとすることができ、又は多数の異なるチップにわたって分散させる（若しくは多数の異なるチップの一部とする）こともできる。
【００２６】
加速度計１７５は、１つ以上の圧電材料、ピエゾ抵抗材料、及び／又は容量性材料（例えばチタン酸ジルコン酸鉛、石英、若しくはトルマリン）を含むことができ、これらを用いて、機械的運動及び／又は速度の変化を電気信号に変換する。加速度計１７５はまた、小型の微小電気機械システム（ＭＥＭＳ）も含むことができ、単軸構成、又は３軸構成を含む多軸構成を有することができる。
【００２７】
非一時的メモリ１６３もまた、ＡＳＩＣ１６１に含まれており、これはＡＳＩＣ１６１内に存在する様々な機能ユニットによって共有でき、又はこれらのうちの２つ以上にわたって分散させることができる。メモリ１６３は、別個のチップとすることもできる。メモリ１６３は、揮発性及び／又は不揮発性メモリとすることができる。この実施形態では、ＡＳＩＣ１６１は、コイン型電池等であってよい電源１７０に連結される。ＡＦＥ１６２は、生体内分析物センサ１０４及び加速度計１７５とインタフェース接続され、これらから測定データを受信し、上記データをデジタル形式でプロセッサ１６６に出力する。プロセッサ１６６は続いて、メモリ１６３に保存された１つ以上の命令を実行でき、上記命令は、プロセッサ１６６に上記データを処理させて、１つ以上の分析物メトリクス（例えば分析物曲線、分析物曲線プロファイル（例えば面積、勾配及び／又は長さ）、分析物の変化率）、並びに身体活動レベル値、傾向値等を決定させることができる。次にこのデータを、アンテナ１７１によって例えばリーダデバイス１２０（図示せず）に送るために、通信回路構成１６８に供給でき、ここでは、上記データを表示するために、常駐ソフトウェアアプリケーションによる追加の処理が必要になる場合がある。（集計データ及び／又は平均データを含む）分析物メトリクスだけがメモリ１６３に保存され、その一方で、生の分析物レベル測定値は後で破棄される。例えばいくつかの実施形態では、グルコースレベルを反映した生の分析物データは、センサ上の永続的なメモリ１６３には保存されず、従っていかなる手段によっても（例えばリーダデバイスによって）アクセスできなくなる。他の実施形態では、グルコースレベルを反映した生の分析物データは、ＲＡＭ（ランダムアクセスメモリ）、又は別の類似のタイプの揮発性メモリに一時的に保存できる。これらの実施形態では、生の分析物レベル測定値を用いて、分析物メトリクス、例えば過去４８時間にわたる移動平均グルコースレベルを計算でき、その後、この生の分析物測定値を削除又は破棄できる。
【００２８】
図３Ｂは図３Ａと同様であるが、２つのディスクリート構成の半導体チップ１６２及び１７４を含み、これらは一体にパッケージ化されていても、別個にパッケージ化されていてもよい。ここでは、ＡＦＥ１６２はＡＳＩＣＳ１６１上に常駐する。ここで示されているように、ＡＦＥ１６２は、分析物センサ１０４及び加速度計１７５の両方に連結される。チップ１７４を参照すると、プロセッサ１６６は、チップ１７４上に、電力管理回路構成１６４及び通信回路構成１６８と共に集積されている。ＡＦＥ１６２はメモリ１６３を含み、チップ１７４はメモリ１６５を含み、これらは内部で隔離しても分散させてもよい。ある例示的実施形態（図示せず）では、ＡＦＥ１６２を１つのチップ上で電力管理回路構成１６４及びプロセッサ１６６と組み合わせ、その一方で通信回路構成１６８を別個のチップ上とする。別の例示的実施形態（これも図示せず）では、ＡＦＥ１６２及び通信回路構成１６８の両方が１つのチップ上にあり、プロセッサ１６６及び電力管理回路構成１６４が別の１つのチップ上にある。なお、３個以上のチップを含み、それぞれが上述の別個の機能を担っている、又はフェイルセーフ冗長性のために１つ以上の機能を共有している、他のチップの組み合わせも可能である。
【００２９】
いくつかの実施形態では、センサ制御デバイス１０２は、生の測定データを身体から収集し、装着者の分析物レベルを表す形式への更なるアルゴリズム処理のために、上記生のデータを（信号の調整を伴って又は伴わずに、及び温度データ等の他のデータを伴って伴わずに）リーダデバイス１２０に送信し、続いてこれをリーダデバイス１２０によって表示できる（又は表示可能とすることができる）。他の実施形態では、上記アルゴリズム処理は、リーダデバイス１２０への送信前に、センサ制御デバイス１０２によって実施される。
【００３０】
分析物レベルの測定値及びメトリクスの例
上述のように、生体内分析物センサ１０４は、被験者の体液（例えば上皮液、間質液、皮下液、又は血液）中の１つ以上の分析物（例えばグルコース）のレベルを測定するよう構成できる。健康な被験者の典型的なグルコースプロファイルは、食事に関連する「ピーク」又は分析物曲線を伴う、比較的平坦なグルコースレベルを示す。分析物曲線のサイズ及び形状は、摂取した食物の量及びタイプに関連し得る。
【００３１】
一例として、図４は、分析物センサ１０４によって得られた分析物レベル測定値のグラフ表示であり、非糖尿病被験者の経時的なグルコースレベルを示す。特に図４は、２４時間の期間にわたる、３回の食事（例えば朝食、昼食及び夕食）に応答する典型的な被験者の分析物レベルを表すグラフ２００である。水平な破線は、絶食時血中グルコースレベル等の、被験者の基準分析物レベルを示す。分析物曲線ＡＣ１は、被験者が朝食を摂取したことに応答した、およそ午前７時３０分における血糖値の上昇を示す。同様に、分析物曲線ＡＣ２及びＡＣ３はそれぞれ、被験者が昼食及び夕食を摂取したことに応答した、正午及び午後６時における血糖値の上昇を示す。各分析物曲線ＡＣ１、ＡＣ２及びＡＣ３は、分析物曲線プロファイルを有することができ、ここで各プロファイルは少なくとも：図４では分析物レベル測定値と基準分析物レベル（例えば絶食時血中グルコースレベル）との間に限定された網掛け領域によって示される、分析物曲線の下側の面積；分析物曲線の勾配；及び分析物曲線の長さを含む。
【００３２】
図５は、３日間にわたって分析物センサ１０４によって得られた分析物レベル測定値の別のグラフ表示である。特に、図５のグラフ２５０は、非糖尿病被験者が装着したＬＩＢＲＥセンサ（ＡＢＢＯＴＴ  ＤＩＡＢＥＴＥＳ  ＣＡＲＥ  ＩＮＣ．製）からの、７２時間の期間にわたるグルコースレベルを反映しており、１４日間のＬＩＢＲＥセンサの装着のうち８日目〜１０日目を示している。９日目（グラフに示されている７２時間のうちの、真ん中の２４時間の期間）において、非糖尿病被験者は、低炭水化物規定食を消費し、総摂取炭水化物は約１０ｇであった。その前後の日（８日目及び１０日目）に関しては、炭水化物が比較的多い、通常の規定食を消費した。分析物曲線が小さいことから明らかであるように、９日目のグルコース変動性は小さく、生のグルコース値の大半が９０〜１１０ｍｇ／ｄＬである。
【００３３】
分析物メトリクスを表示するためのグラフィカルユーザインタフェースの例示的実施形態
本明細書に記載されているのは、リーダデバイス１２０上で分析物メトリクスを表示するためのグラフィカルユーザインタフェースの例示的実施形態である。図４に関して上述したように、生体内分析物センサ１０４は、被験者の体液中の分析物レベルを測定でき、また１つ以上のセンサ電子部品プロセッサによって、１つ又は複数の分析物メトリクスを決定できる。その後、センサ制御デバイス１０２の通信回路構成は、上記分析物メトリクスをリーダデバイス１２０に無線送信できる。図３Ａ及び３Ｂに関して上述したように、その後、生の分析物レベル測定値は、センサ制御デバイス１０２から破棄される。しかしながら、いくつかの実施形態では、分析物メトリクスを、センサ制御デバイス１０２上のメモリに、集計されたフォーマットで保存できる。例えばいくつかの実施形態では、所定の時間量（例えば過去４時間）にわたる１つ以上の分析物レベルの移動平均を、センサ制御デバイス１０２のメモリに保存してよい。他の実施形態では、所定の時間量（例えば４８時間）にわたるピーク分析物レベルを、センサ制御デバイス１０２のメモリに保存できる。他のタイプ及びフォーマットの集計された分析物メトリクスが本開示の実施形態の範囲内であることは、当業者には容易に理解されるため、これらの例は例示を意図したものであり、いずれの意味での限定を意図したものではない。
【００３４】
リーダデバイス１２０は、その通信回路構成によって、分析物メトリクスを無線で受信する。リーダデバイス１２０のメモリに命令として保存されたグラフィカルユーザインタフェース（ＧＵＩ）を、１つ以上のリーダデバイスプロセッサによって実行して、分析物メトリクスを、リーダデバイス１２０のディスプレイに、視覚的に出力できる。以下で説明するように、特定の例では、ＧＵＩはインタラクティブであり、被験者は、入力デバイス（例えばタッチスクリーン、キーボード又はマウス）を用いて、ＧＵＩを通してリーダデバイス１２０に情報を入力できる。
【００３５】
図６は、リーダデバイス１２０上に分析物メトリクスを表示するためのＧＵＩ３００のある例示的実施形態である。一般に、ＧＵＩ３００は、図４に関して説明したもの（例えばＡＣ１、ＡＣ２、ＡＣ３）のような、被験者が摂取した食事に関連する分析物曲線を表す、簡単で読み取りが容易な数値スコアを表示できる。図６に示すように、参照が容易になるように、日時表示３１０はリーダデバイス１２０の上部に示されている。日時表示３１０の下には、水平に配向された３つの数値スコア３２０が示されており、これらは被験者が摂取する３回の食事、即ち朝食、昼食及び夕食を表す。いくつかの実施形態では、食事の発生は、リーダデバイス１２０のメモリに保存され、センサ制御デバイス１０２から受信した分析物メトリクス中でパターンを検出するよう構成された、ルーチン及び／又はアルゴリズムによって決定できる。食事イベントの検出は、該ユーザにおける所望の許容可能な（例えば医学的に推奨される）標的範囲外の、分析物エピソード又はエクスカーションの検出を含むことができ、これらのうちの一方又は両方が検出されたことを、ソフトウェアによってユーザに通知できる。分析物エクスカーションの例としては、低グルコース閾値への抵触、高グルコース閾値への抵触、変化（例えば増加又は減少）率閾値への抵触、グルコース中央値閾値への抵触、グルコース変動性閾値への抵触等が挙げられる。他の実施形態では、食事の発生は更に、特定の時刻に分析物メトリクスの検出されたパターンを裏付けるよう構成されたルーチンによって確認できる。食事及びそのバリエーションを検出するためのアルゴリズム、ルーチン又は他の命令のセットの他の例は、米国公開特許第２０１３／００８５３５８号明細書、米国公開特許第２０１４／０３５０３６９号明細書若しくは米国公開特許第２０１４／００８８３９３号明細書、又は国際公開第２０１５／１５３４８２号に記載されており、これらは全てその全体があらゆる目的のために本出願に援用される。これらの援用される参考文献に記載されているアルゴリズム、ルーチン又は命令のセットの一部は、所望の標的範囲外の分析物エクスカーションの識別に関してのみ説明されている。これらの実施形態を、これらの援用される参考文献のうちの他の１つ（例えば国際公開第２０１５／１５３４８２号）に内包されている教示に基づいて、食事イベントの検出に拡張できる。またこれらの実施形態を、グルコース値がある期間にわたって上限と下限との間に維持される標的範囲内エピソードの特定による、食事イベントの検出に拡張できる。これらのエピソードの検出は、閾値ベースのエピソード検出アルゴリズムの拡張によって実施できる。
【００３６】
更に他の実施形態では、食事の発生は、例えばセンサ制御デバイス１０２から受信した分析物メトリクス中であるパターンが検出された時に入力を行うようにユーザを促すことにより、ユーザが手動で決定及び／又は確認できる。例えばいくつかの実施形態では、ユーザは、図７に関して更に説明するように、リーダデバイス１２０の入力デバイスを用いて、摂取した食事のテキストベースの説明を、テキスト入力ボックスに入力できる。各数値スコアは、図４に示されているもの（例えばＡＣ１、ＡＣ２、ＡＣ３）のような対応する分析物曲線の下側の面積に比例する。しかしながら、簡単にするため、及び参照を容易にするために、分析物曲線ではなく数値スコアをＧＵＩ３００に表示する。
【００３７】
再び図６を参照すると、数値スコアは、１〜５のスケール上の整数とすることができ、この整数は、分析物曲線の下側の面積に比例する。例えば数値スコア「３」は、標準的な初期設定の食事に対する分析物の応答を表す、「初期設定（初期設定の）」分析物曲線の面積を反映できる。対照的に、数値スコア「５」は、比較的大きな分析物応答をもたらす食物又は食事を示すことができ、この場合分析物曲線は、初期設定の食事に比べて大きな面積を有する。反対に、数値スコア「１」は、比較的小さな分析物応答をもたらす、摂取された食物又は食事を示すことができ、この場合分析物曲線は、初期設定の食事に比べて小さな面積を有する。更に、図６に示すように、多くの実施形態では、数値スコアは、１つ以上の対応する分析物曲線の下側の面積を反映する。しかしながら他の実施形態では、数値スコアは、分析物曲線の勾配及び／又は分析物曲線の長さといった分析物曲線プロファイルの他のメトリクスの関数とすることもできる。いくつかの実施形態では、例えば、数値スコアは、分析物曲線の長さの関数とすることができ、ここで、分析物曲線の長さは、分析物応答の持続時間に関連する。数値スコアは、特定のタイプの食物及び／又は食事に関する分析物曲線プロファイルを反映することもできる。例えばいくつかの実施形態では、比較的高い数値スコアは、精製された炭水化物を含む食物又は食事（例えば精白粉のパスタ）を反映している可能性がある急峻なスパイクを特徴とする分析物曲線を反映できる。他の実施形態では、比較的低い数値スコアは、繊維又は複合糖質を多く含む食物又は食事（例えば全粒粉のパスタ）を反映している可能性がある緩やかな勾配を特徴とする分析物曲線を反映できる。同様に、他の実施形態では、数値スコアは分析物レベルの変化率の関数とすることもできる。
【００３８】
引き続き図６を参照すると、数値スコア３２０の下方には、朝食、昼食及び夕食に関する３つの概要メトリクス３３０、３４０、３５０が表示されている。本日のスコア３３０は、当日に摂取した食事に関する数値スコアの合計を示すことができる。今週のスコア３４０は、その週のうち当日までの数値スコアの合計を示すことができる。目標週間スコア３５０は、被験者がそれを下回ったままでいようとする目標数値スコアを示すことができる。更に、これらの概要メトリクスの下方に示されているように、被験者が自身の目標週間スコアを満たすのを支援するために、毎日の助言又は命令３５２を提供できる。よって、この簡単なＧＵＩ３００は、センサ１０４が取得した、基礎となっている分析物レベル測定値を、被験者が理解又は解釈する必要なしに、理解が容易な分析物メトリクスをユーザに提示する。
【００３９】
図６に示すように、多くの実施形態では、数値スコアは、１〜５のスケール上の整数として示すことができる。しかしながら他の実施形態では、数値スコアを、標準的な初期設定の食物又は食事に応答した分析物曲線の下側の面積より大きな又は小さなパーセンテージの数値（例えば標準の３０％上、又は標準の３０％下）として表現できる。更に、いくつかの実施形態では、本日のスコア３３０、今週のスコア３４０、又は目標週間スコア３５０といった特定の分析物メトリクスを、図６に示すような合計ではなく平均として表現できる。いくつかの実施形態では、上述の数値スコアに加えて、又はその代わりに、他の非数値表現を使用できる。例えば、異なる色のインジケータ（例えば赤色光、黄色光、又は緑色光）、テキストインジケータ（例えば「良い（ｇｏｏｄ）」、「中間（ｎｅｕｔｒａｌ）」、「悪い（ｂａｄ）」）、図形インジケータ（親指を立てる、親指を下げる、幸せそうな顔、悲しい顔、又は他の顔文字）、文字による等級（例えばＡ、Ｂ、Ｃ、Ｄ、又はＦ）は全て、本開示の範囲内である。
【００４０】
更に、分析物曲線と、摂取した食物又は食事との間の関係は、各個人に固有のものであり得るため、本システムを各個人のために、較正用特徴部分（図示せず）を用いて、標準的な初期設定の食事に関する分析物曲線に対して較正することもできる。いくつかの実施形態では、較正は、較正用特徴部分によって、例えば標準的な初期設定の食事から開始して、経時的な初期設定の分析物曲線を、個人の平均分析物曲線に対して調整することによって、実施できる。いくつかの実施形態では、被験者は、標準的な食事を代表する食事を決定して、この食事に対する初期設定の応答を手動で設定してよい。
【００４１】
更に、ＧＵＩ３００は、被験者に、自身の目標週間スコア３５０に到達するためのインセンティブを与えるための特徴部分を含むことができる。例えば特定の実施形態では、ＧＵＩ３００は、被験者の友人に被験者のステータスを通知し続けるために、又は目標週間スコアの達成後に、ソーシャルメディアプラットフォーム（例えばＦａｃｅｂｏｏｋ）を通して被験者の友人にメッセージを送るための、特徴部分を含むことができる。他の実施形態では、ＧＵＩ３００の使用を奨励するために、最初のサインアップに関して、又はこのＧＵＩを使用するためにサインアップする友人の紹介に関して、金銭的なインセンティブ（例えば会員割引）を提供できる。他の実施形態では、目標週間スコアが達成されると、ＧＵＩ３００は被験者に、割引コード、クーポン、又はアプリ内報酬といった１つ以上の金銭的報酬を提供できる。
【００４２】
食物の影響を分析するためのグラフィカルユーザインタフェースの例示的実施形態
図７は、リーダデバイス１２０上に分析物メトリクスを表示するためのＧＵＩの、別の例示的実施形態である。より具体的には、ＧＵＩ４００は、初期設定の標準的な食物又は食事と比較した場合の、ある特定の個人に関する、ある特定の食物又は食事の生理学的影響を決定して表示できる。規定食及び栄養は、各個人に対してカスタマイズしなければならないことが認識される。全ての人々に共通のガイドラインが存在することは事実であるが、食物に対する個々の応答には、個々の生理学に基づく幅広いばらつきがある。更に、食物の選択は、地域的な入手可能性、文化的受容性、食物アレルギー等に基づいて制限される場合がある。ＧＵＩ４００は、入手可能な食物のうち、どの食物が栄養面で最も有益であり、また体重増加といった因子に対する悪影響が最も少ないかに関して、個人に固有の情報を提示できる。
【００４３】
この実施形態の一態様によると、リーダデバイス１２０は、センサ制御デバイス１０２から分析物メトリクスを無線で受信する。上述のように、受信される分析物メトリクスは、摂取した食物又は食事に関する分析物曲線プロファイルを含むことができ、ここで、上記分析物曲線プロファイルは、分析物曲線の下側の面積、分析物曲線の勾配、及び分析物曲線の長さのうちの１つ以上を含むことができる。次に、リーダデバイス１２０のメモリに保存された命令の形態のアプリケーションを、１つ以上のリーダデバイスプロセッサによって実行でき、これにより、上記プロセッサに、摂取した食物又は食事に関する特定の分析物曲線プロファイルを、データベース内の食物エントリと関連付けさせ、上記分析物曲線プロファイルと、関連付けられたメトリクスとを、データベースに保存させることができる。上記アプリケーションを更に実行することにより、摂取した食物又は食事に関する分析物曲線プロファイルと、標準的な初期設定の食物又は食事に関する初期設定の分析物曲線プロファイルとの間の比較を実施でき、またこの比較の結果を、リーダデバイス１２０のディスプレイに、視覚的に出力できる。
【００４４】
図７に示すように、ＧＵＩ４００は、標準的な初期設定の食物と比較して、ある特定の食物又は食事の生理学的影響を示す、グラフ３６０を含む。特に、摂取した食事又は食物に関する分析物曲線３６２、即ちＡＣ１が、標準的な初期設定の食事又は食物に対する被験者の分析物応答を反映した初期設定の分析物曲線３６４、即ちＡＣ０と重ねて、示されている。日時表示３１０はここでも、リーダデバイス１２０の上部に含めることができる。図６を参照して説明した数値スコアと同様の、標準的な初期設定の食事又は食物に関する数値スコア３７０、及び現在摂取している食事に関する数値スコア３７５を、ＧＵＩ４００上に表示できる。更に、いくつかの実施形態では、ＧＵＩ４００は、テキスト入力ボックス３８０及び／又は図像入力ボックス３８５も含むことができる。被験者は、摂取した食事のテキストベースの説明を、リーダデバイス１２０の入力デバイスを用いて、テキスト入力ボックス３８０に入力できる。次に、入力された情報を、食物エントリとしてデータベースに入力できる。同様に、いくつかの実施形態はまた、図像入力ボックス３８５も含み、被験者はこれを通して、例えばリーダデバイス上のカメラを用いて、食事又は食物の写真を提供できる。次にこの写真を食物エントリと関連付けて、データベースに保存できる。
【００４５】
いくつかの実施形態では、食物データベースは、リーダデバイス１２０上のメモリ内に存在できる。他の実施形態では、データベースは、リーダデバイス１２０から離間した、ローカルネットワーク、広域ネットワーク又はインターネットを介してアクセスされる、信頼できるコンピュータシステム上に保存できる。更に、ＧＵＩ４００は、食物摂取データの入力を促進するサードパーティ製アプリケーション、及びそれに関連するサードパーティ製食物データベースを組み込むことができる。いくつかの実施形態では、ＧＵＩ４００は、ある個体群又はある個体群の一部分に対する特定の食物又は食事の影響の指標であるデータを含むことができる分析物メトリクスデータを、データベースに保存及び／又は集計することもできる。同様に、いくつかの実施形態では、ＧＵＩ４００は、食物データベースから、ある個体群又はある個体群の一部分に対する特定の食物又は食事の影響に関するデータを引き出すことができる。上記個体群データは、例えば、ある個体群（又はその一部分）に対する特定の食物又は食事の影響を反映できる分析物メトリクスに関する、平均又は中央値、加重平均、標準偏差、及び他の統計的パラメータを反映でき、また、この特定の食物又は食事に対するある個人の応答の正規化に使用でき、及び／又はこの特定の食物又は食事に対するある個人の応答と比較できる。更に、複数の個別のユーザから収集された個体群データを、認証済みの個人、グループ、公衆衛生当局、及び／又は課金者にとってアクセス可能とすることができる。
【００４６】
更に、いくつかの実施形態では、ＧＵＩ４００を、図６に関して上述したソーシャルメディア特徴部分と同様の１つ以上のソーシャルメディアプラットフォームと、インタフェース接続することもできる。例えば、この実施形態の一態様によると、ＧＵＩ４００は、摂取した食事に関する被験者のステータス、摂取した食事に関連する数値スコア、又は特定の摂取した食事の影響を反映した１つ以上のインジケータを、被験者の友人に通知し続けるために、被験者の友人にメッセージ又は通知を送る、特徴部分を含むことができる。更に、いくつかの実施形態では、最初のサインアップに関して、又はこのＧＵＩを使用するためにサインアップする友人の紹介に関して、金銭的なインセンティブ（例えば会員割引、割引コード、アプリ内報酬）を提供できる。
【００４７】
この実施形態の別の態様によると、ＧＵＩ４５０は、糖尿病前症の検出を支援することもできる。図８に示すように、チャート３９０は初め、以下の３つの分析物曲線を含むことができる：（１）糖尿病被験者のグルコース応答を表す、分析物曲線３９２；（２）糖尿病前症被験者のグルコース応答を表す、分析物曲線３９４；及び（３）正常な（糖尿病でなく、また糖尿病前症でもない）被験者のグルコース応答を表す、分析物曲線３９８。破線の分析物曲線３９６は、４週間の平均グルコース応答を表すことができ、これは分析物曲線３９２、３９４、３９８と重ねられる。これに関して、被験者は、自身の分析物耐容性を、正常な被験者、糖尿病前症の被験者、及び／又は糖尿病の被験者に対して視覚的に近似できる。更に、チャート３９０に表示された情報に関する更なるガイダンスを提供するために、テキスト表示３９５をチャート３９０の下に設けることができる。
【００４８】
この実施形態の他の態様によると、本明細書に記載のＧＵＩは、被験者の健康の評価を提供するために、他のタイプのセンサからのデータを受信して処理することもできる。例えばいくつかの実施形態では、他のタイプのセンサデータとして、センサ制御デバイス１０２上の加速度計からの身体活動レベル測定値が挙げられる。他の実施形態では、他のセンサデータとして、センサ制御デバイス１０２に組み込むことができる、又はセンサ制御デバイス１０２から離間させて配備できる、心拍数センサからのデータが挙げられる。ＧＵＩと共に、リーダデバイス１２０のメモリに保存された命令により、１つ以上のリーダデバイスプロセッサに、これら複数のタイプのセンサデータを分析させて、被験者の健康の包括的評価を生成及び表示させることができる。
【００４９】
炭水化物を監視するためのグラフィカルユーザインタフェースの例示的実施形態
図９は、分析物メトリクスをリーダデバイス１２０上に表示するためのＧＵＩの別の例である。特に、図９は、被験者の炭水化物摂取量を監視するための炭水化物グラフを含む、ＧＵＩ５００を示す。一般に、生体内分析物センサ１０４によって取得される信号等といった生のグルコース信号に由来する分析物メトリクスは、被験者の炭水化物摂取量を表すことができる。例えば、変化率、又は特定の閾値グルコース値を超える積分値を反映する分析物メトリクスは、生のグルコース値よりも生の炭水化物摂取量をより反映したものとなり得る。これに関して、図９の炭水化物のグラフは、センサ制御デバイス１０２から受信した１つ以上の分析物メトリクスに基づいてグラフ表示を表示することにより、被験者の炭水化物摂取量を反映する。図９に示すように、このグラフ表示は、プロット線５１６とすることができる。しかしながら他の実施形態では、このグラフ表示は、不連続な一連のドット、外挿線若しくは曲線、スキャッターショット、網掛け領域、又は受信した分析物メトリクスの他の表示とすることもできる。更に、図９において更に確認できるように、水平軸５２０は、７２時間（例えば２０１６年１月１５日０時００分から２０１６年１月１８日０時００分まで）の時間窓にわたる、時間単位の増分を反映する。例えば８〜１０時間、又は５〜１５時間といった、他の所定の時間窓を利用することもできることを理解されたい。垂直軸はラベルが付されておらず、値を表示しない。ＧＵＩ５００は、例えば図５のグラフ２５０よりも被験者にとって直感的であり、理解が容易である。というのは、被験者は、生の分析物値の解釈に必要な、数値による分析物レベルの技術的理解を有しない場合があるためである。
【００５０】
引き続き図９を参照すると、プロット線５１６は、センサ制御デバイス１０２から受信したメトリクスのうちの１つ以上に関連する、一連のプロットされた分析物値を含むことができる。更に、プロットされた分析物値それぞれを、高範囲、中範囲又は低範囲といった１つ以上の範囲に割り当てることができ、ここで各範囲は、グラフの底部の水平軸から、プロットされた値まで延在する、色付きのバンドといったインジケータによって表すことができる。例えば、赤色バンド５１４は、高範囲に割り当てられた分析物値を示すことができ、黄色バンド５１０は、中範囲に割り当てられた分析物を示すことができ、緑色バンド５１２は、低範囲に割り当てられた分析物値を示すことができる。図９には、３つの範囲（高、中、及び低）並びに対応する３つの色（赤、緑、及び黄）が示されているが、他の範囲、インジケータ、色、視覚的パターン、及びグラデーションを使用することもでき、従ってこれらは本開示の範囲内である。
【００５１】
いくつかの実施形態では、プロットされた分析物値はそれぞれ、生体内分析物センサ１０４によって取得された１つの分析物レベル測定値を反映できる。しかしながら他の実施形態では、プロットされた分析物値は、分析物レベルの異なる複数の変化率を反映できる。従って、異なる色のバンドは、ある指定された期間にわたって積分した変化率に基づいて割り当てることができる。例えば分析物レベルが比較的迅速に変化している場合、色付きバンドを赤色とすることができる。同様に、変化率が低下すると、色付きバンドを緑色にすることができる。
【００５２】
いくつかの実施形態の別の態様によると、ある特定の範囲及び／又は色付きバンドに対する、プロットされた分析物値の割り当ては、過去の複数の分析物値（又は変化率）の積分も含むことができる。例えばいくつかの実施形態では、先行する所定の個数のプロットされた分析物値が全て高範囲に割り当てられる場合、又は同様に、全てのプロットされた分析物値が高範囲に割り当てられる所定の期間が存在する場合、次の１つのプロットされた分析物値もまた、高範囲に割り当てることができる。対照的に、同一の例示的実施形態によると、先行する所定の個数のプロットされた分析物値が全て低範囲に割り当てられる場合、又は同様に、全てのプロットされた分析物値が低範囲に割り当てられる所定の期間が存在する場合、次の１つのプロットされた分析物値もまた、低範囲に割り当てることができる。これに関して、ＧＵＩ５００は「慣性抵抗（ｉｎｅｒｔｉａｌ  ｒｅｓｉｓｔａｎｃｅ）」アルゴリズムを含むことができ、このアルゴリズムでは、例えば低炭水化物消費の期間が長い場合、ＧＵＩ５００が、比較的長い低炭水化物消費の積分期間を「記憶している（ｒｅｍｅｍｂｅｒ）」ため、高炭水化物消費の短い期間によって、対応する色付きバンドが必ずしも赤色にならない。いくつかの実施形態では、この「慣性抵抗」アルゴリズムは、ＧＵＩ５００の設定インタフェース（図示せず）により、ユーザが起動又は終了できる。同様に、いくつかの実施形態では、慣性抵抗のレベル、即ち先行する連続した複数の低範囲（又は高範囲）分析物値の閾値持続時間又は個数は、ＧＵＩ５００の設定インタフェース（図示せず）により、ユーザが入力デバイスを介して設定できる。
【００５３】
この実施形態の別の態様によると、ＧＵＩ５００は、プロットされた分析物値をある特定の及び／又は色付きバンドに割り当てるプロセスの「寛容さ（ｌｅｎｉｅｎｃｙ）」を制御するために、複数のユーザ選択レベルを含むことができる。特に、被験者は、リーダデバイス１２０の入力デバイスを通してアクセスできる設定インタフェース（図示せず）によって、「イージー」、「ミディアム」又は「ハード」レベルを選択できる。リーダデバイス１２０上のメモリに保存された命令は、１つ以上のリーダデバイスプロセッサに、上記ユーザ選択レベルに基づいて、低範囲、中範囲又は高範囲それぞれに関する値の範囲を決定させる。換言すれば、イージーレベルを選択する場合、低範囲は、中範囲又は高範囲よりも広い値の範囲を含むことができる。ミディアムレベルを選択する場合、中範囲は、低範囲又は高範囲よりも広い値の範囲を含むことができる。ハードレベルを選択する場合、高範囲は、中範囲又は高範囲よりも広い値の範囲を含むことができる。これに関して、被験者は、プロットされた分析物値のうちの多くが低範囲に割り当てられ、従って緑色を有する、イージー設定で、ＧＵＩ５００の使用を開始できる。その後、被験者は、低範囲に割り当てられるプロットされた分析物値がより少なく、「赤色」のプロットされた分析物値がより優勢である、ミディアム又はハード設定に進むことを決定できる。これらの設定により、ユーザは、ユーザに建設的なインセンティブを与えながら、低炭水化物規定食と高炭水化物規定食とを区別する能力も提供する、フィードバックのレベルを決定できる。
【００５４】
この実施形態の別の態様によると、センサ制御デバイス１０２及び／又はリーダデバイス１２０上のメモリに保存された命令を、各デバイスの１つ以上のプロセッサが実行することによって、ある特定のユーザに関する炭水化物摂取プロファイルを確立するための炭水化物摂取の周期的監視（例えば毎日、毎週、毎月）を実施できる。例えばいくつかの実施形態では、これらの命令により、１つ以上のプロセッサは、ユーザの炭水化物摂取のパターンを識別し、保存し、認識できる。特定の食物及び／又は食事に関連するユーザの炭水化物摂取の識別されたパターンに基づいて、炭水化物摂取プロファイルを確立できる。いくつかの実施形態では、これらの命令は、確立された炭水化物摂取プロファイルと矛盾する分析物のエクスカーションも検出でき、これに続いて、ユーザに、ユーザが摂取した食物及び食事のタイプ及び量に関する追加情報を入力するように促す。これらの命令により、プロセッサは、上記エクスカーション及び関連する食物摂取量を分析して、様々なタイプ及び量の食物及び食事の影響を決定できる。他の実施形態では、上記命令により、プロセッサは、食物又は食事の摂取毎に、炭水化物のタイプ及び／又は量に関する情報を入力するように、ユーザに促すことができる。これらの実施形態の一態様によると、上記命令は、食物又は食事の各摂取後に、ユーザの炭水化物摂取プロファイルのパターンを識別及び／又は保存できる。十分な数のパターンが検出された場合、又は所定の期間後、上記命令は、食物又は食事の摂取毎にユーザ入力を要求するのを停止できる。これに関して、この実施形態の別の態様によると、センサ制御デバイス及び／又はリーダデバイスは、ある特定のユーザの炭水化物摂取パターンを「学習（ｌｅａｒｎ）」して、ある特定の食物又は食事に対する分析物応答を予測できる。
【００５５】
毎日の栄養素の推奨値を修正するためのインタフェースの例示的実施形態
別の例示的実施形態では、毎日の栄養素の推奨値を生成及び修正するためのＧＵＩが設けられる。米国保健福祉省の国立衛生食品栄養委員会は、適切な食物摂取の原則及びガイドラインを確立するために、食物摂取基準（Ｄｉｅｔａｒｙ  Ｒｅｆｅｒｅｎｃｅ  Ｉｎｔａｋｅ：ＤＲＩ）文書を発行した。特に、食品栄養委員会は、食物摂取と栄養と健康との間の関係に関する、権威ある判断を行う。Ｕ．Ｓ．Ｄ．Ａ．が提供する保健専門家のためのインタラクティブＤＲＩといった、複数のインタラクティブツールを用いて、ＤＲＩに基づく毎日の栄養素の推奨値を計算できる。上記ツールは、性別、年齢、ＢＭＩ及び活動レベルを考慮して：（１）推定カロリー必要量；（２）炭水化物、繊維、タンパク質、脂質及び水といった多量養素；並びに（３）ビタミン及びミネラルを計算できる。
【００５６】
以下の表は、身長６フィート１インチ（１８５．４２ｃｍ）及び体重１７０ポンド（７７．１１０７ｋｇ）の５１歳の男性被験者に関する、毎日の栄養素の推奨値の例として提供される。いくつかの実施形態では、以下に示す毎日の栄養素の推奨値を、リーダデバイス１２０上に視覚的に表示できる。特に、リーダデバイスのメモリに保存された命令は、１つ以上のリーダデバイスプロセッサによって実行されると、１つ以上のリーダデバイスプロセッサに、以下の情報をリーダデバイス１２０のディスプレイへと出力させることができる。
【００５７】
【表１】
2020511214.tif 000003
【００５８】
【表２】
2020511214.tif 000004
【００５９】
【表３】
2020511214.tif 000005
【００６０】
【表４】
2020511214.tif 000006
【００６１】
この実施形態の一態様によると、ＧＵＩは：（１）個々の被験者の活動レベルを監視することによって、個人別の毎日の栄養素の推奨値を確実に正確なものとし；また（２）個人の分析物応答を監視することによって、炭水化物摂取と相関させるために、提供できる。上述のように、生体内分析物センサ１０４に加えて、センサ制御デバイス１０２は、被験者の身体活動レベルを測定するための加速度計１７５も含むことができる。更に、センサ制御デバイス１０２は、１つ以上の分析物メトリクス及び身体活動レベル測定値をリーダデバイス１２０に無線で送信できる。続いて、いくつかの実施形態では、リーダデバイス１２０のメモリに保存された命令は、１つ以上のリーダデバイスプロセッサによって実行されると、プロセッサに、上記１つ以上の分析物メトリクス及び身体活動レベル測定値に基づいて、毎日の栄養素の推奨値を調整するかどうかを決定させることができる。
【００６２】
この実施形態の別の態様によると、被験者の心拍数及び毎日の心拍数パターンを、例えばセンサ制御デバイス１０２に組み込まれた又はセンサ制御デバイス１０２とは別個に配備された心拍数モニタであるデバイスによって測定して、リーダデバイス１２０に無線で送信できる。その後、上記分析物メトリクス及び身体活動レベル測定値と同様に、毎日の栄養素の推奨値を、１つ以上の心拍数測定値に基づいて更に修正できる。
【００６３】
同様に、この実施形態の更に別の態様によると、被験者の水分補給レベルを、例えばセンサ制御デバイス１０２に組み込まれた又はセンサ制御デバイス１０２とは別個に配備されたセンサデバイスによって測定して、リーダデバイス１２０に無線で送信できる。その後、他の生理学的データと同様に、毎日の栄養素の推奨値を、１つ以上の水分補給レベル測定値に基づいて更に修正できる。
【００６４】
同様に、これらの実施形態の更に別の態様によると、図９を参照して説明したように、被験者のグルコース応答を、被験者の炭水化物摂取量と相関させることができる。従って、他の生理学的データと同様に、毎日の栄養素の推奨値を、被験者の炭水化物摂取量に基づいて更に修正できる。
【００６５】
更に、これらの実施形態の別の態様によると、推定１日カロリー摂取量推奨値、１日炭水化物摂取量推奨値、１日繊維摂取量推奨値、１日タンパク質摂取量推奨値、１日脂質摂取量推奨値、１日水分摂取量推奨値、１日ビタミン摂取量推奨値、及び１日ミネラル摂取量推奨値を含む、毎日の栄養素の推奨値の他のパラメータを、上述のセンサデバイスのうちのいずれからのフィードバックに基づいて、アプリケーションによって修正できる。
【００６６】
ケトン監視のためのグラフィカルユーザインタフェースの例示的実施形態
本明細書で開示されている全ての実施形態に関して、分析物レベル測定値、分析物メトリクス、分析物曲線及び／又は分析物曲線プロファイルに関する言及は、被験者の体液中に見られる、生体内分析物センサ１０４によって感知できる多数の分析物のうちのいずれを指すことができる。いくつかの実施形態では、ケトン監視に関する分析物メトリクスを、リーダデバイス１２０上で被験者に対して表示できる。特に、被験者がダイエット又は医療上の理由でケトーシスの状態を維持するのを支援するために、ケトーシス閾値が満たされていない時点を検出するための、及びケトーシス目標閾値を達成するために被験者に１つ以上の推奨値を表示するための、ＧＵＩを提供できる。
【００６７】
例えば複数の公知のダイエットが、炭水化物摂取の低減に関連する（例えばアトキンス、パレオ、ケトジェニック、断食）。被験者が炭水化物及び／又はタンパク質制限ダイエット中である場合、身体は、脂質貯蔵分を使用したエネルギの生成にシフトしなければならない。このプロセス中、身体は、３つの化合物（即ちアセトン、アセト酢酸、及び最も優勢なβ‐ヒドロキシ酪酸）を含むケトン体を体液中に検出できる状態である、栄養学的ケトーシスに入る。ゆっくりとした代謝のために設計された複合糖質を、このダイエットに導入でき、これはケトーシスの状態を引き続き維持することが、一般に理解されている。更に、ケトンの監視は、ダイエットの必要がある個人又はてんかんに罹患した個人にとって重要となり得る。ケトジェニックダイエットは、てんかんに罹患した人々の発作の発生を減少させる又はなくすために効果的なダイエットであることが知られている。
【００６８】
被験者が栄養学的なケトーシスの状態にあるかどうかを決定する従来の又は既存の方法は、糖尿病性ケトアシドーシスの同定において糖尿病患者が使用する方法と同様である。これら両方の場合において、尿ストリップ（例えばＫｅｔｏｓｔｉｘ）又は血液ベースのストリップ（例えばＡｂｂｏｔｔ  Ｄｉａｂｅｔｅｓ  Ｃａｒｅ  Ｋｅｔｏｎｅ  Ｔｅｓｔ  Ｓｔｒｉｐｓ）を用いて、身体中のケトンのレベルを決定できる。しかしながら、尿ベースの試験は、現在の状態から大幅に遅れたケトンレベルの履歴ビューが提供される。血液ベースの試験は、よりリアルタイムに近い結果を提供するものの、データセットは偶発的であり、被験者が試験ストリップを使用する頻度に依存する。これにより、食物及び運動がある人の栄養学的ケトーシスの状態にどのように影響するかを理解するために重要な情報が失われる場合がある。
【００６９】
以上の実施形態は全て、単独で、又はグルコース監視と組み合わせて、ケトン監視のために使用できる。いくつかの実施形態では、例えば、ケトンメトリクスに関する目標習慣スコアに到達するため（図６）、又はある特定の食事、食物、サプリメント若しくは医薬品に関するケトン応答を決定するため（図７）の、ＧＵＩを提供できる。同様に、ケトーシスの所望の状態に到達してこれを維持するための毎日の栄養素の推奨値を：（１）被験者の体液中のケトンレベルを反映した分析物メトリクス；及び（２）センサ制御デバイス１０２上の加速度計からの身体活動レベル測定値に基づいて決定（又は修正）できる。ある実施形態の別の態様によると、ケトーシス目標閾値が満たされていない１つ以上の時刻を決定して表示するため、及びケトーシス目標閾値を達成するための１つ以上の推奨値を表示するための、ＧＵＩを提供できる。これらの実施形態及び他の実施形態に関して、命令をリーダデバイス１２０のメモリに保存でき、これらの命令は、１つ以上のリーダデバイスプロセッサによって実施されると、被験者がケトーシスの状態に到達してこれを維持するのを支援するために、１つ以上のプロセッサに特定のケトンメトリクスを分析及び表示させる。
【００７０】
本明細書で提供したいずれの実施形態に関して記載された全ての特徴、要素、構成部品、機能及びステップは、他のいずれの実施形態からの特徴、要素、構成部品、機能及びステップによる組み合わせ及び置換が自由に可能であることが意図されていることに留意されたい。ある特定の特徴、要素、構成部品、機能又はステップが１つの実施形態に関してしか記載されていない場合、該特徴、要素、構成部品、機能又はステップは、特段の記載がない限り、本明細書に記載の全ての他の実施形態と共に使用できることを理解されたい。従って、本段落は、いかなる時点においても、異なる複数の実施形態からの特徴、要素、構成部品、機能及びステップを組み合わせる、又はある実施形態からの特徴、要素、構成部品、機能及びステップを別の実施形態からのもので置換する請求項を、ある特定の例においてこのような組み合わせ又は置換が可能であることを以下の記述が明記していない場合であっても導入するための、先行基礎及び明文化されたサポートとして機能する。全ての可能な組み合わせ及び置換の明示的な列挙が、特にこのような組み合わせ及び置換の全てがそれぞれ許容可能であることを当業者が容易に認識する場合に、過度な負担になることは、明らかに認められる。
【００７１】
本明細書で開示されている実施形態が、メモリ、ストレージ、及び／又はコンピュータ可読媒体を含む、あるいはこれらと関連して動作する限りにおいて、該メモリ、ストレージ、及び／又はコンピュータ可読媒体は、非一時的なものである。従って、メモリ、ストレージ、及び／又はコンピュータ可読媒体が１つ以上の請求項によって包含される限りにおいて、該メモリ、ストレージ、及び／又はコンピュータ可読媒体は、非一時的なもののみである。
【００７２】
これらの実施形態は、様々な修正及び代替形態を許容するものであり、その具体例を図面に図示し、また本明細書中で詳細に説明している。しかしながら、これらの実施形態は、開示されている特定の形態に限定されるものではなく、反対にこれらの実施形態は、本開示の精神の範囲内にある全ての修正、均等物、及び代替物を包含できることを理解されたい。更に、これらの実施形態のいずれの特徴、機能、ステップ又は要素を、請求項中に列挙又は追加でき、また、請求項の発明の範囲を該範囲内ではない特徴、機能、ステップ又は要素によって定義する負の限定も、請求項中に列挙又は追加できる。
【符号の説明】
【００７３】
１００      健康及び栄養監視システム
１０２      センサ制御デバイス
１０４      センサ、分析物センサ
１０５      接着パッチ
１２０      リーダデバイス
１２１      入力
１２２      スクリーン、ディスプレイ
１２３      電源ポート
１４０、１４２、１４３、１４４      通信経路
１５０      センサアプリケータ
１６０      センサ電子部品
１６１      半導体チップ、ＡＳＩＣ
１６２      アナログフロントエンド、ＡＦＥ、半導体チップ
１６３、２２３、２２５      非一時的メモリ
１６４      電力管理（又は制御）回路構成
１６６      プロセッサ
１６８      通信回路構成
１７０      ローカルコンピュータシステム、電源
１７４      チップ
１７５      加速度計、半導体チップ
１８０      信頼できるコンピュータシステム
１９０      ネットワーク
２００、２５０、３６０      グラフ
２０６      処理回路構成
２２２      通信プロセッサ
２２４      アプリケーションプロセッサ
２２６      電源
２２８      ＲＦトランシーバ
２２９      アンテナ
２３０      非一時的メモリ
２３２      多機能トランシーバ
２３４      アンテナ
２３８      電力管理モジュール
３００、４００、４５０、５００      ＧＵＩ
３１０      日時表示
３２０      数値スコア
３３０      概要メトリクス、本日のスコア
３４０      概要メトリクス、今週のスコア
３５０      概要メトリクス、目標週間スコア
３６２、３６４、ＡＣ１、ＡＣ２、ＡＣ３      分析物曲線
３７０、３７５      数値スコア
３８０      テキスト入力ボックス
３８５      図像入力ボックス
３９０      チャート
３９２、３９４、３９６、３９８      分析物曲線
３９５      テキスト表示
５１０      黄色バンド
５１２      緑色バンド
５１４      赤色バンド
５１６      プロット線
【図１】
2020511214.tif 000007
【図２】
2020511214.tif 000008
【図３Ａ】
2020511214.tif 000009
【図３Ｂ】
2020511214.tif 000010
【図４】
2020511214.tif 000011
【図５】
2020511214.tif 000012
【図６】
2020511214.tif 000013
【図７】
2020511214.tif 000014
【図８】
2020511214.tif 000015
【図９】
2020511214.tif 000016
【国際調査報告】
2020511214.tif 000017
2020511214.tif 000018
2020511214.tif 000019